(57)【特許請求の範囲】
【請求項１】
凹部と凸部が交互に現れるようにウエブを長さ方向に切断する工程と、
切断された第１ウエブと第２ウエブとに跨ってカバーシートを取付ける工程と、
カバーシートを取付けた第１ウエブと第２ウエブを拡幅する工程と、
カバーシートの上に吸収体を取付ける工程とを含むことを特徴とする使い捨て着用物品の製造方法。
【請求項２】
２枚のウエブの間に、弾性部材を伸長状態でウエブ長さ方向に挟み込んで接合して弾性積層体を製造する工程と、
凹部と凸部が交互に現れるように上記弾性積層体を長さ方向に切断する工程と、
切断された第１弾性積層体と第２弾性積層体の凹部と凸部に跨ってカバーシートを取付ける工程と、
カバーシートを取付けた第１弾性積層体と第２弾性積層体を拡幅する工程と、
カバーシートの上に吸収体を取付ける工程とを含むことを特徴とする使い捨て着用物品の製造方法。
【請求項３】
上記弾性部材は、ウエスト用弾性部材とボディフィット用弾性部材とレッグ周り弾性部材とであり、レッグ周り弾性部材は、着用物品の幅方向に直線状態、曲線状態または双方を含む状態である請求項２に記載の使い捨て着用物品の製造方法。
【請求項４】
上記カバーシートは、跨って取付けるときに、拡幅分だけ弛まされている請求項１〜３の何れか1項に記載の使い捨て着用物品の製造方法。
【請求項５】
上記吸収体を折り重ねた状態で、第１ウエブと第２ウエブの両側部または第１弾性積層体と第２弾性積層体の両側部を、サイドシールする工程を含む請求項１〜４のいずれか１項に記載の使い捨て着用物品の製造方法。
【請求項６】
脚穴部を形成する工程をさらに含む請求項１〜５のいずれか１項に記載の使い捨て着用物品の製造方法。
【発明の詳細な説明】
【技術分野】
【０００１】
本発明は、使い捨ておむつ等のような使い捨て着用物品を連続して製造する方法に関する。
【背景技術】
【０００２】
図２８に示すように、使い捨て着用物品を横流れ（矢印Ａ参照）で製造する工程において、凹部４１ａと凸部４１ｂが交互に現れるようにウエブ４１を長さ方向に切断し、この第１ウエブ４１Ａと第２ウエブ４１Ｂを拡幅して、第１ウエブ４１Ａと第２ウエブ４１Ｂの凹部４１ａと凸部４１ｂとに跨って吸収体４２を取付けるものがある（特開２００２−３０６５３４号公報、特開２００２−２７２７８１号公報参照）。
【０００３】
しかしながら、ウエブ４１を、第１ウエブ４１Ａと第２ウエブ４１Ｂとに切断した際に、Ｗ１１を含む部分にはウエブの長さ方向のテンションがかかったままであるが、Ｗ１２を含む部分は拡布状で保持し難くテンションがかからなくなることによって、Ｗ１２を含む部分（凸部４１ｂ）にシワが発生しやすくなり、吸収体を取付けるときに不具合が生じる。また、ウエブ４１にウエブの長さ方向に弾性部材を挟み込んでいる場合には、ウエブの切断後に、Ｗ１２を含む部分（凸部４１ｂ）の長さ方向の収縮力が発生することによりシワや折れが発生し、特に、Ｗ１２を含む部分（凸部４１ｂ）に凸部に沿ってレッグ周り弾性部材４３を挟み込んでいる場合には、ウエブを拡布状で搬送するときに加わるテンション方向とは異なる向きに収縮力が発生するためさらに顕著にシワや折れが発生するため、吸収体を取付けるときに不具合が生じる。
【０００４】
本発明は、上述のような不具合を解消するためになされたもので、ウエブを切断した際のシワや折れの発生を少なくして、吸収体を取付けるときにシワの発生に起因する不具合が生じない使い捨て着用物品の製造方法を提供することを課題とするものである。
【発明の開示】
【０００５】
本発明の第１の製造方法は、凹部と凸部が交互に現れるようにウエブを長さ方向に切断する工程と、
切断された第１ウエブと第２ウエブとに跨ってカバーシートを取付ける工程と、
カバーシートを取付けた第１ウエブと第２ウエブを拡幅する工程と、
カバーシートの上に吸収体を取付ける工程とを含むことを特徴とするものである。
【０００６】
本発明の第１の製造方法によれば、凹部と凸部が交互に現れるようにウエブを長さ方向に切断して、切断した第１ウエブと第２ウエブとに跨ってカバーシートを取付けた後に第１ウエブと第２ウエブを拡幅して、このカバーシートの上に吸収体を取付けるようにしたものである。
【０００７】
従って、シワが発生しやすい拡幅後ではなく、シワが発生しにくい拡幅前、好ましくは、切断後であって殆どシワが発生していない時、より好ましくは切断直後に、第１ウエブと第２ウエブとに跨ってカバーシートを取付けることで、特に凸部にシワが発生しなくなって、吸収体を取付ける際のシワに起因する不具合を回避できる。
【０００８】
本発明の第２の製造方法は、２枚のウエブの間に、弾性部材を伸長状態でウエブ長さ方向に挟み込んで接合して弾性積層体を製造する工程と、
凹部と凸部が交互に現れるように上記弾性積層体を長さ方向に切断する工程と、
切断された第１弾性積層体と第２弾性積層体の凹部と凸部に跨ってカバーシートを取付ける工程と、
カバーシートを取付けた第１弾性積層体と第２弾性積層体を拡幅する工程と、
カバーシートの上に吸収体を取付ける工程とを含むことを特徴とするものである。
【０００９】
本発明の第２の製造方法によれば、２枚のウエブの間に、弾性部材を挟み込んで接合して弾性積層体を製造した後に、凹部と凸部が交互に現れるように弾性積層体を長さ方向に切断して、切断した第１弾性積層体と第２弾性積層体の凹部と凸部に跨ってカバーシートを取付けた後に第１弾性積層体と第２弾性積層体を拡幅して、このカバーシートの上に吸収体を取付けるようにしたものである。
【００１０】
従って、シワが発生しやすい拡幅後ではなく、シワが発生しにくい拡幅前、好ましくは、切断後であって殆どシワが発生していない時、より好ましくは切断直後に、第１弾性積層体と第２弾性積層体とに跨ってカバーシートを取付けることで、吸収体を取付ける際のシワに起因する不具合を回避できる。
【００１１】
さらに、凸部にレッグ周り弾性部材を挟み込んでいる場合には、可及的にシワや折れの発生が抑制されるので、特に有効である。
【００１２】
第１および第２の製造方法において、上記カバーシートは、跨って取付けるときに、拡幅分だけ弛まされている構成とすることが好ましい。
【００１３】
このように、カバーシートを拡幅分だけ弛ませた状態で跨って取付けると、取付けが容易に行える。
【００１４】
本発明の第３の製造方法は、外面用ウエブを長さ方向に切断する工程と、
切断された第１外面用ウエブと第２外面用ウエブを拡幅する工程と、
凹部と凸部とが交互に現れるように内面用ウエブを長さ方向に切断する工程と、
切断された第１内面用ウエブと第２内面用ウエブを拡幅する工程と、
第１外面用ウエブと第１内面用ウエブの間および第２外面用ウエブと第２内面用ウエブの間に、弾性部材を伸長状態でウエブ長さ方向に挟み込んで接合して、第１弾性積層体と第２弾性積層体を製造する工程と、
第１内面用ウエブと第２内面用ウエブとに跨って吸収体を取付ける工程とを含むことを特徴とするものである。
【００１５】
本発明の第３の製造方法によれば、外面用ウエブを長さ方向に切断して、切断した第１外面用ウエブと第２外面用ウエブを拡幅するとともに、凹部と凸部とが交互に現れるように内面用ウエブを長さ方向に切断して、切断した第１内面用ウエブと第２内面用ウエブを拡幅して、第１外面用ウエブと第１内面用ウエブの間および第２外面用ウエブと第２内面用ウエブの間に、弾性部材を挟み込んで接合して、第１弾性積層体と第２弾性積層体を製造した後に、第１内面用ウエブと第２内面用ウエブに跨って吸収体を取付けるようにしたものである。
【００１６】
従って、外面用ウエブは幅方向に同一幅で連続状態であり、拡布状で長さ方向に張力を与えられた状態で搬送されるため、内面用ウエブとの間に挟み込まれる弾性部材の収縮に対し耐性を有する。このため、外面用ウエブと内面用ウエブが共に凹部と凸部を有する場合に比べて、製造された第１弾性積層体と第２弾性積層体のシワの発生が抑制されるので、第１内面用ウエブと第２内面用ウエブの凸部に跨って吸収体を取付ける際に、シワの発生に起因する不具合を回避することができる。
【００１７】
さらに、凸部にレッグ周り弾性部材を挟み込んでいる場合には、可及的にシワや折れの発生が抑制されるので、特に有効である。
【００１８】
本発明の第４の製造方法は、凹部と凸部が交互に現れるように内面用ウエブを長さ方向に切断する工程と、
切断された第１内面用ウエブと第２内面用ウエブを拡幅する工程と、
外面用ウエブと第１内面用ウエブおよび第２内面用ウエブの間に、弾性部材を伸長状態でウエブ長さ方向に挟み込んで接合する工程と、
第１内面用ウエブと第２内面用ウエブとに跨って吸収体を取付ける工程とを含むことを特徴とするものである。
【００１９】
本発明の第４の製造方法によれば、凹部と凸部とが交互に現れるように内面用ウエブを長さ方向に切断して、切断した第１内面用ウエブと第２内面用ウエブを拡幅するとともに、外面用ウエブと第１内面用ウエブおよび第２内面用ウエブの間に、弾性部材を挟み込んで接合して、第１弾性積層体と第２弾性積層体を製造した後に、第１内面用ウエブと第２内面用ウエブとに跨って吸収体を取付けるようにしたものである。
【００２０】
従って、外面用ウエブは切断および拡幅されずに拡布状で長さ方向に張力を与えられた状態で搬送されるため、内面用ウエブとの間に挟み込まれる弾性部材の収縮に対し耐性を有するので、第１内面用ウエブと第２内面用ウエブの凸部に跨って吸収体を取付ける際に、シワの発生に起因する不具合を回避することができる。
【００２１】
また、繋がった外面用ウエブで吸収体の中間部分をカバーできるから、見映えが良くなる。
【００２２】
第３および第４の製造方法において、上記切断された第１内面用ウエブと第２内面用ウエブを、各ウエブの凸部が対向するように、長さ方向にずらす工程を含む構成とすることができる。
【００２３】
このように、切断された第１内面用ウエブと第２内面用ウエブを、各ウエブの凸部が対向するように、長さ方向にずらすと、吸収体を第１弾性積層体と第２弾性積層体の両凸部に跨って取付けることができる。これにより、吸収体を大きなスペースの凸部にそれぞれ取付けることができるので、取付けが確実に行える。
【００２４】
また、第１弾性積層体と第２弾性積層体の両凸部で吸収体の一部を覆うことができるから、着用物品がパンツ形状に近似するので、見映えが良くなって着用物品の商品価値を向上させることができる。
【００２５】
第１〜第４の製造方法において、上記弾性部材は、ウエスト用弾性部材とボディフィット用弾性部材とレッグ周り弾性部材とであり、レッグ周り弾性部材は、幅方向に直線状態、曲線状態または双方を含む状態である構成とすることができる。
【００２６】
これにより、着用物品を着用したときに、ウエスト用弾性部材によりずれ落ちを防止することができ、ボディフィット用弾性部材によりボディにフィットさせることができ、レッグ回り用弾性部材により、脚部に対する密着性を向上させることができる。
【００２７】
第１〜第４の製造方法において、上記吸収体を折り重ねた状態で、第１ウエブと第２ウエブの両側部または第１弾性積層体と第２弾性積層体の両側部を、サイドシールする工程を含む構成とすることが好ましい。
【００２８】
このように、吸収体を折り重ねた状態で、第１ウエブと第２ウエブの両側部または第１弾性積層体と第２弾性積層体の両側部を、サイドシールすると、着用物品をパンツタイプとすることができる。
【００２９】
第１〜第４の製造方法において、脚穴部を形成する工程をさらに含む構成とすることが好ましい。
【発明を実施するための最良の形態】
【００３０】
以下、本発明を実施するための最良の形態について、図面を参照しながら詳細に説明する。
【実施例１】
【００３１】
図１〜図１４は、第１実施例の使い捨て着用物品１Ａとその製造方法である。
【００３２】
図９は、使い捨て着用物品１Ａを展開した状態であり、（ａ）は平面図、（ｂ）は略画的側面断面図、（ｃ）は略画的底面断面図である。図１２は、使い捨て着用物品１Ａの組立て状態の正面図である。
【００３３】
使い捨て着用物品１Ａは、図９のように、フロント部（第１弾性積層体１２Ａ）Ｐとバック部（第２弾性積層体１２Ｂ）Ｑとに跨ってカバーシート２が取付けられ、このカバーシート２の上に吸収体３が取付けられて、フロント部Ｐとバック部Ｑとを、カバーシート２を外側にして吸収体３を内側に折り曲げて重ね合わせ、フロント部Ｐとバック部Ｑの両側部１ａをサイドシールすることにより、図１２のようなパンツタイプとするようにしている。なお、両側部１ａをサイドシールせず、止着テープ等で着脱可能に係止することにより、テープタイプとすることもできる。
【００３４】
この使い捨て着用物品１Ａでは、吸収体３で股部Ｒが形成されるとともに、この吸収体３の両側にレッグ用開口部Ｓが形成されることになる。
【００３５】
第１実施例の使い捨て着用物品１Ａの製造方法を図１〜図８を用いて説明する。
【００３６】
（１）工程１〜５は、弾性積層体１２からフロント部Ｐ側の第１弾性積層体１２Ａとバック部Ｑ側の第２弾性積層体１２Ｂを横流れ状態で製造して、カバーシート２を取付ける工程である。
【００３７】
〔工程１〕  図１、図２および図６において、長さ方向Ａに連続送りされる不織布製の外面用ウエブ１０と内面用ウエブ１１との間に、フロント部Ｐ側とバック部Ｑ側のボディフィット用弾性部材４とレッグ周り弾性部材５Ａ，５Ｂとを長さ方向Ａに伸長状態で挟み込んで接着して、弾性積層体１２を製造する〔図６（ａ）〜（ｃ）参照〕。なお、接着する際の幅ずれを考慮して、外面用ウエブ１０の横幅Ｗ１に対して内面用ウエブ１１の横幅Ｗ２を狭く設定することが好ましい。
【００３８】
上記レッグ周り弾性部材５Ａとボディフィット用弾性部材４とは、長さ方向Ａに直線状に添設されるとともに、レッグ周り弾性部材５Ｂは、後述する凸部１２ｂに沿うような湾曲状に添設される。
【００３９】
上記ウエブ１０，１１の少なくとも一方には、例えばホットメルト接着剤が塗布されていて、ボディフィット用弾性部材４とレッグ周り弾性部材５Ａ，５Ｂとを挟み込んだ状態で両ウエブ１０，１１を接着する。
【００４０】
ボディフィット用弾性部材４とレッグ周り弾性部材５Ａ，５Ｂの材質としては、ポリウレタン、天然ゴム、熱可塑性樹脂などが使用でき、形状は、糸状、リボン状などが使用でき、１本使用に限られず、複数本使用であっても良い。材質として、熱可塑性樹脂を使用する場合、それ自身にウエブ１０，１１を接着する機能が有るときには、ホットメルト接着剤が不要になることがある。なお、後述する弾性部材５Ｃ，６，７も同様の材質、形状である。
【００４１】
〔工程２〕  弾性積層体１２は、次述する工程３で凹部１２ａと凸部（レッグ回りフラップ部）１２ｂとが交互に現れるように、第１弾性積層体１２Ａと第２弾性積層体１２Ｂとに長さ方向Ａに切断されるが、その前の工程２で、第２弾性積層体１２Ｂ側の凹部１２ａと凸部１２ｂのボディフィット用弾性部材４とレッグ周り弾性部材５Ａ，５Ｂの収縮力を小さくする加工を施して、収縮力を小さくした部位１２ｃを形成する。
【００４２】
収縮力を小さくする加工としては、例えばエンボスロール（ヒートエンボス）を用いてボディフィット用弾性部材４とレッグ周り弾性部材５Ａ，５Ｂを溶融させる方法（特開２００２−１１３０４２号公報参照）、あるいは、ギャザーカッター１４（図１参照）でボディフィット用弾性部材４とレッグ周り弾性部材５Ａ，５Ｂをカットする方法を採用することができる。この溶融あるいはカットは、弾性積層体１２をバキュームで引きながらロールに沿わせた状態で行うのが好ましい。なお、収縮力を小さくする工程は、後述する吸収体３を取付ける工程１１までの間の工程であればいずれでも良い。
【００４３】
〔工程３〕  弾性積層体１２に凹部１２ａと凸部１２ｂとが交互に現れるように、弾性積層体１２をＳカッター１５で長さ方向Ａに切断して（いわゆるＳカット…切断線Ｃ参照）、第１弾性積層体１２Ａと第２弾性積層体１２Ｂとを製造する〔図６（ｄ）参照〕。この切断は、後述する拡幅時に切り離し可能なミシン目状であってもよい。
【００４４】
図１３に示すように、弾性積層体１２を第１弾性積層体１２Ａと第２弾性積層体１２ＢとにＳカットで切断すると（切断線Ｃ参照）、第１弾性積層体１２Ａの両側にハッチングａで示すような円弧部が残るようになる。これは、そのままであっても良いが、デザイン的な観点から切り取っても良い。図９〜図１２は、切り取った状態のパンツ型使い捨て着用物品１Ａを示してある。
【００４５】
弾性積層体１２Ａの幅方向の長さＷ８を長くすることもできる。その場合、股上が長くなって商品価値が向上する。
【００４６】
〔工程４〕  長さ方向Ａに連続送りされる液不透過性のカバーシート２を後述する拡幅分だけ弛ませた状態でΩ字状に折り曲げながら、カット＆プレースローラ２０（Ａ，Ｂ）で所定の幅Ｗ３（図２参照）に切断して、この切断したカバーシート２を第１弾性積層体１２Ａと第２弾性積層体１２Ｂの凹部１２ａと凸部１２ｂの内面用ウエブ１１に跨って接着する〔図６（ｅ）参照〕。
【００４７】
カバーシート２の内面用ウエブ１１への接着は、第２弾性積層体１２Ｂの凸部１２ｂに殆どシワが発生していない時が好ましく、工程３の切断直後が特に好ましい。
【００４８】
図１（ｂ）に示すように、Ω字状に折り曲げられたカバーシート２はカットローラ２０Ａで切断された後、プレースローラ２０Ｂ上で運ばれて、バックシート接合ドラム５０上で第１弾性積層体１２Ａと第２弾性積層体１２Ｂの凹部１２ａと凸部１２ｂの内面用ウエブ１１に跨って接着されることが好ましい。
【００４９】
上記カバーシート２としては、ＰＰ、ＰＥ等の疎水性不織布が挙げられる。
【００５０】
上記カバーシート２は、吸収体３とほぼ同じ幅Ｗ３として、長さを吸収体３よりも短く設定している。なお、カバーシート２の幅Ｗ３は、実際には吸収体３の取付け時の幅ずれを考慮して、６〜１３％程度は広くしておくことが好ましい。
【００５１】
〔工程５〕  切断された第１弾性積層体１２Ａと第２弾性積層体１２Ｂを、幅方向Ｗに一定の間隔Ｗ４で拡幅する〔図６（ｆ）参照〕。これにより、カバーシート２は、第１弾性積層体１２Ａと第２弾性積層体１２Ｂの凹部１２ａと凸部１２ｂとに跨ってフラットに展張されるようになる。
【００５２】
（２）工程６〜工程１０は吸収体３を製造する工程の一例である。
【００５３】
〔工程６〕  図１、図３および図７において、長さ方向Ａに連続送りされる不織布製の立ち上がりフラップ８用のシートをスリッター１６で長さ方向Ａに切断し〔図７（ａ）参照〕、切断した立ち上がりフラップ８を幅方向Ｗに一定の間隔Ｗ５で拡幅する〔図７（ｂ）参照〕。ついで、セーラー２８で内曲げる立ち上がりフラップ８の内曲げ部８ａ内に、フラップ用弾性部材７を長さ方向Ａに伸長状態で挟み込んで接着し〔図７（ｃ）（ｄ）参照〕、その後、長さ方向Ａに連続送りされる液透過性の不織布製トップシート９Ａの両側部に、立ち上がりフラップ８の基端部８ｂを接着する〔図７（ｅ）参照〕。
【００５４】
〔工程７〕  ロールパルプ１７を粉砕機１８で粉砕して解繊したフラッフをパターンドラム１９に積層して吸収体３のコア３ａを縦流れ状態で成形する。なお、フラッフには、高吸水性ポリマーを混合しても良い。
【００５５】
〔工程８〕  裏面に液不透過性の合成樹脂製フィルム９ｂを接着しながら長さ方向Ａに連続送りされる不織布製バックシート９Ｂの両側部に、長さ方向Ａに伸長状態でレッグ周り弾性部材５Ｃを添設する。
【００５６】
なお、本実施例では、カバーシート２が不織布性バックシートの代わりとなりうるので、本工程において、ポリエチレンフィルムのような液不透過性の防水フィルムのみでバックシート９Ｂを構成してもよい。この場合も同様に、レッグ周り弾性部材を添設する。
【００５７】
〔工程９〕  コア３ａを工程８で製造したバックシート９Ｂの上に載置するとともに、工程６で製造したトップシート９Ａをコア３ａとレッグ周り弾性部材５Ｃを挟み込んだ状態で、バックシート９Ｂにホットメルト接着剤などで接着することにより〔図７（ｆ）参照〕、長さ方向Ａに長い状態で吸収体３を製造する。
【００５８】
上記液不透過性シートとしては、ポリエチレンフィルムや撥水性および通気性を有する不織布が好ましく、液透過性シートとしては、液透過性の不織布やメッシュシートが好ましい。
【００５９】
〔工程１０〕  内装カッター２１により、長さ方向Ａに長い状態の吸収体３を立ち上がりフラップ８とともに一定の長さ毎に切断して、長方形状の吸収体３を製造する。
【００６０】
なお、コア３ａとトップシート９Ａとの間に、トランスファーシート２９（図９参照）を介在させても良い。このトランスファーシート２９は、尿等を速やかに拡散させるとともに、吸収した尿等がトップシート９Ａから漏れ出すのを防止するものである。
【００６１】
また、フラッフに高吸水性ポリマーを混合してコア３ａを成形した場合には、コア３ａを、２枚のティッシュで挟むかまたは１枚のティッシュで包むと、高吸水性ポリマーがフラッフからこぼれ出るのを防ぐことができる。
【００６２】
（３）工程１１〜工程１６は、使い捨て着用物品１Ａを横流れ状態で組み立てる工程である。
【００６３】
〔工程１１〕  図１、図４および図８において、工程５で製造して横流れ状態の第１弾性積層体１２Ａと第２弾性積層体１２Ｂとを工程１０で製造した吸収体３を内装ターンドラム２３で向きを９０度反転させて横流れ状態とし（図３の左端の図参照）、第１弾性積層体１２Ａと第２弾性積層体１２Ｂとに跨って接着したカバーシート２の上と、第１弾性積層体１２Ａと第２弾性積層体１２Ｂの凹部１２ａと凸部１２ｂの内面用ウエブ１１に跨って接着する〔図８（ａ）参照〕。この場合、吸収体３は、凹部１２ａと凸部１２ｂの収縮力を小さくした部位１２ｃに跨って接着されることになる。
【００６４】
〔工程１２〕  第１弾性積層体１２Ａと第２弾性積層体１２Ｂの外面用ウエブ１０側における幅方向（長さ方向Ａに交差する方向）Ｗの両端部１２ｄに、ウエスト用弾性部材６を長さ方向Ａに伸長状態で沿わせて、この両端部１２ｄを内折りして、ウエスト用弾性部材６を挟み込んだ状態で両端部１２ｄ内に接着する〔図８（ｂ）（ｃ）参照〕。なお、吸収体３の端部からフラッフ等がこぼれ出ること及び／又は吸収した尿等が漏れ出すことを防ぐために、両端部１２ｄは、吸収体３の前後端部を覆うように接着されることが好ましい。
【００６５】
その後、トリムカッター（図示せず）を使用して、第１弾性積層体１２Ａと第２弾性積層体１２Ｂをカットして、後述するような脚穴部Ｓを形成してもよく、さらにカバーシートの両縁部をカットしてもよいし、吸収体３の両縁部をカットしてもよい。
【００６６】
〔工程１３〕  第１弾性積層体１２Ａと第２弾性積層体１２Ｂとを、二つ折り装置２４により、カバーシート２を外側にして吸収体３を内側に折り曲げて重ね合わせる〔図８（ｄ）参照〕。
【００６７】
〔工程１４〕  折り重ねられた第１弾性積層体１２Ａと第２弾性積層体１２Ｂの隣り合う吸収体３の中間位置（使い捨て着用物品１Ａの両側部１ａに相当する。）を複数段のヒートシール２５ａ〜２５ｃで融着してサイドシールする。なお、ヒートシール２５ａ〜２５ｃは、必ずしも複数段である必要はない。また、ヒートシール２５ａ〜２５ｃの代わりに、ソニックによりサイドシールが行われても良い。
【００６８】
〔工程１５〕  第１弾性積層体１２Ａと第２弾性積層体１２Ｂのサイドシールされた部分の中間部を製品カッター２６でカットすると、両側部１ａがサイドシールされた使い捨て着用物品１Ａが完成する。
【００６９】
〔工程１６〕  この製品としての使い捨て着用物品１Ａは、製品反転機２７で９０度反転された後に、製品検査工程から包装工程に送られるようになる。
【００７０】
第１実施例の使い捨て着用物品１Ａの製造方法によれば、２枚のウエブ１０，１１の間に、弾性部材４，５Ａ，５Ｂを挟み込んで接着して弾性積層体１２を製造した後に、凹部１２ａと凸部１２ｂが交互に現れるように弾性積層体１２を長さ方向Ａに切断して、切断した第１弾性積層体１２Ａと第２弾性積層体１２Ｂの凹部１２ａと凸部１２ｂに跨ってカバーシート２を接着した後に、第１弾性積層体１２Ａと第２弾性積層体１２Ｂを拡幅して、このカバーシート２の上に吸収体３を接着したものである。
【００７１】
従って、弾性積層体１２にシワが発生しやすい拡幅後ではなく、シワが発生しにくい拡幅前、詳細には切断直後に、第１弾性積層体１２Ａと第２弾性積層体１２Ｂとに跨ってカバーシート２を接着するので、吸収体３を取付ける際のシワに起因する不具合を回避できる。
【００７２】
また、本発明の方法は、上述のようなシワ及び／又は折れがさらに発生し易くなるような場合、例えば、凸部１２ｂにレッグ周り弾性部材５Ｂを挟み込んでいる場合に、特に有効である。
【００７３】
また、カバーシート２を拡幅分だけ弛ませた状態で、第１弾性積層体１２Ａと第２弾性積層体１２Ｂとに跨って接着することにより、接着が容易に行える。なお、カバーシート２として、伸縮性が有るものを使用することもできる。この場合には、吸収体３も伸縮性が有るものを使用できるので、着用時のフィット性を向上させることができる。
【００７４】
さらに、カバーシート２を吸収体３とほぼ同幅Ｗ３として、長さを吸収体３よりも短く設定することにより、吸収体３にカバーシート２を一体化する製造方法と比べて、資材コストを削減できるようになる。なお、カバーシート２の幅Ｗ３は、実際には吸収体取付け時の幅ずれを考慮して、６〜１３％程度は広くしておくことが好ましい。
【００７５】
また、弾性積層体１２の切断を拡幅時に切り離し可能なミシン目状とすることにより、切断と同時にシワが発生しやすくなるという不具合を未然に防止することができる。
【００７６】
さらに、第１弾性積層体１２Ａと第２弾性積層体１２Ｂとに、ウエスト用弾性部材６とボディフィット用弾性部材４とレッグ周り弾性部材５Ａ，５Ｂを添設することにより、使い捨て着用物品１Ａを着用したときに、ウエスト用弾性部材６によりずれ落ちを防止することができ、ボディフィット用弾性部材４によりボディにフィットさせることができ、レッグ回り用弾性部材５Ａ，５Ｂにより、脚部に対する密着性を向上させることができる。
【００７７】
また、吸収体３を折り重ねた状態で、第１弾性積層体１２Ａと第２弾性積層体１２Ｂの両側部１ａをサイドシールすることにより、着用物品をパンツタイプとすることができる。
【００７８】
上記実施例１は、２枚のウエブ１０，１１の間に、弾性部材４，５Ａ，５Ｂを挟み込んで接着した弾性積層体１２を切断してなる第１弾性積層体１２Ａと第２弾性積層体１２Ｂとに跨って、カバーシート２を接着したものであったが、１枚のウエブ１１を切断してなる第１ウエブと第２ウエブとに跨ってカバーシート２を接着したものでも良い。なお、シワの発生に影響しないウエスト用弾性部材６は添設することができる。
【００７９】
この場合には、シワが発生しやすい拡幅後ではなく、シワが発生しにくい拡幅前、詳細には切断直後に、第１ウエブと第２ウエブとに跨ってカバーシート２を接着するので、吸収体３を取付ける際のシワに起因する不具合を回避できる。
【００８０】
第１実施形態の使い捨て着用物品１Ａは、図９（ａ）と図１３に示したように、第２弾性積層体１２Ｂ（バック部Ｑ）側のレッグ周り弾性部材５Ｂは、着用物品幅方向に曲線状態ｂで添設したものであったが、図１０と図１４（ａ）に示したように、レッグ周り弾性部材５Ｂは、着用物品幅方向に曲線状態ｂと直線状態ｃの双方を含むように添設することもできる。
【００８１】
また、図１１と図１４（ｂ）に示したように、レッグ周り弾性部材５Ｂは、着用物品幅方向に直線状態ｃで添設することもできる。なお、第１弾性積層体１２Ａ（フロント部Ｐ）にボディフィット用弾性部材４を添設しても良い。
【実施例２】
【００８２】
図１５〜図１７は、第２実施例の使い捨て着用物品１Ｂとその製造方法である。
【００８３】
第２実施例の使い捨て着用物品１Ｂは、第１実施例の使い捨て着用物品１Ａと比較して、カバーシート２を使用しない点が相違する。
【００８４】
第２実施例の使い捨て着用物品１Ｂの製造方法を第１実施例の使い捨て着用物品１Ａの製造方法と相違する点について説明する。
【００８５】
フロント部Ｐ側の第１弾性積層体１２Ａとバック部Ｑ側の第２弾性積層体１２Ｂを横流れ状態で製造する工程（図１の工程１〜５参照）において、長さ方向Ａに連続送りされる不織布製の外面用ウエブ１０をスリッター１６で長さ方向Ａに切断して（切断線Ｄ参照）、切断した第１外面用ウエブ１０Ａと第２外面用ウエブ１０Ｂとを幅方向Ｗに一定の間隔Ｗ６で拡幅する。
【００８６】
また、長さ方向Ａに連続送りされる不織布製の内面用ウエブ１１を凹部１２ａと凸部１２ｂとが交互に現れるように、Ｓカッター１５で長さ方向Ａに切断して（いわゆるＳカット…切断線Ｃ参照）、切断した第１内面用ウエブ１１Ａと第２内面用ウエブ１１Ｂとを幅方向Ｗに一定の間隔Ｗ６で拡幅するとともに、各ウエブ１１Ａ，１１Ｂの凸部１２ｂが対向するように、位相合わせ機１３によって長さ方向Ａにずらせる。
【００８７】
この位相合わせは、第１外面用ウエブ１０Ａと第１内面用ウエブ１１Ａを接着、および第２外面用ウエブ１０Ｂと第２内面用ウエブ１１Ｂを接着した後（図１の工程１参照）、または、収縮力を小さくした部位１２ｃを形成した後（図１の工程２参照）であっても良い。つまり、拡幅工程から吸収体３の接着工程までの間であれば良いが、接着工程後であれば、両ウエブ１０Ａ，１１Ａと１０Ｂ，１１Ｂとがしっかりするので、扱いやすくなる。なお、第１実施例と同様に、位相合わせを省略することも可能である。
【００８８】
その後、切断して拡幅した第１外面用ウエブ１０Ａと第１内面用ウエブ１１Ａとの間、および第２外面用ウエブ１０Ｂと第２内面用ウエブ１１Ｂとの間に、フロント部Ｐ側とバック部Ｑ側のボディフィット用弾性部材４を長さ方向Ａに伸長状態で挟み込んで接着して、フロント部Ｐ側の第１弾性積層体１２Ａとバック部Ｑ側の第２弾性積層体１２Ｂとを製造する。なお、第２外面用ウエブ１０Ｂと第２内面用ウエブ１１Ｂとの間にレッグ周り弾性部材５Ｂを挟み込んで接着しても良い。
【００８９】
一方、使い捨て着用物品１Ｂを横流れ状態で組み立てる工程（図１の工程１１〜１６参照）において、第１弾性積層体１２Ａと第２弾性積層体１２Ｂとの内面用ウエブ１１の凸部１２ｂの収縮力を小さくした部位１２ｃに跨って吸収体３を接着する。
【００９０】
ついで、工程１２と工程１３との間に設けたトリムカッター２２で外面用ウエブ１０をカットして脚穴部Ｓを形成する。
【００９１】
本例では、トリムカッター２２で外面用ウエブ１０のみをカットしているが、内面用ウエブ１１もカットしても良く、あるいは外面用ウエブ１０と内面用ウエブ１１とともに吸収体３の両縁部もカットしても良い。
【００９２】
第２実施例の使い捨て着用物品１Ｂの製造方法によれば、外面用ウエブ１０を長さ方向Ａに切断して、切断した第１外面用ウエブ１０Ａと第２外面用ウエブ１０Ｂを拡幅するとともに、凹部１２ａと凸部１２ｂとが交互に現れるように内面用ウエブ１１を長さ方向Ａに切断して、切断した第１内面用ウエブ１１Ａと第２内面用ウエブ１１Ｂを拡幅して位相合わせをし、第１外面用ウエブ１０Ａと第１内面用ウエブ１１Ａの間および第２外面用ウエブ１０Ｂと第２内面用ウエブ１１Ｂの間に、ボディフィット用弾性部材４を挟み込んで接着して、第１弾性積層体１２Ａと第２弾性積層体１２Ｂを製造した後に、第１内面用ウエブ１１Ａと第２内面用ウエブ１１Ｂの凸部１２ｂに跨って吸収体３を接着したものである。
【００９３】
従って、外面用ウエブ１０は幅方向に同一幅で連続状態であり、拡布状で長さ方向に張力を与えられた状態で搬送されるため、内面用ウエブ１１との間に挟み込まれるボディフィット用弾性部材４の収縮に対し耐性を有する。このため、外面用ウエブ１０と内面用ウエブ１１が共に凹部と凸部を有する場合に比べて、製造された第１弾性積層体１２Ａと第２弾性積層体１２Ｂの凸部１２ｂにおけるシワの発生が抑制されるので、第１内面用ウエブ１１Ａと第２内面用ウエブ１１Ｂの凸部１２ｂに跨って吸収体３を取付ける際に、シワの発生に起因する不具合を回避することができる。
【００９４】
また、本発明の方法は、上述のようなシワ及び／又は折れがさらに発生し易くなるような場合、例えば、凸部１２ｂにレッグ周り弾性部材５Ｂを挟み込んでいる場合に、特に有効である。
【００９５】
また、第１実施例におけるようなカバーシート２が不要になるので、コスト安になる。
【００９６】
さらに、切断された第１内面用ウエブ１１Ａと第２内面用ウエブ１１Ｂを、各ウエブ１１Ａ，１１Ｂの凸部１２ｂが対向するように、長さ方向にずらせることにより、吸収体３を第１弾性積層体１２Ａと第２弾性積層体１２Ｂの両凸部１２ｂに跨って接着すことができる。これにより、吸収体３を大きなスペースの凸部１２ｂにそれぞれ接着できるので、接着が確実に行える。
【００９７】
また、第１弾性積層体１２Ａと第２弾性積層体１２Ｂの両凸部１２ｂで吸収体３の一部を覆うことができるから、パンツ形状に近似するので、見映えが良くなって使い捨て着用物品１Ｂの商品価値を向上させることができる。
【実施例３】
【００９８】
図１８および図１９は、第３実施例の使い捨て着用物品１Ｃとその製造方法である。
【００９９】
第３実施例の使い捨て着用物品１Ｃは、第２実施例の使い捨て着用物品１Ｂと比較して、外面用ウエブ１０を切断・拡幅しない点が相違する。
【０１００】
第３実施例の使い捨て着用物品１Ｃの製造方法を第２実施例の使い捨て着用物品１Ｂの製造方法と相違する点について説明する。
【０１０１】
第２実施例の図１５を流用すれば、外面用ウエブ１０の切断・拡幅の工程（符号Ｆ参照）とバックシート９Ｂのフィルム９ｂの接着工程（符号Ｇ参照）とが不要である。
【０１０２】
すなわち、長さ方向Ａに連続送りされる不織布製の内面用ウエブ１１を凹部１２ａと凸部１２ｂとが交互に現れるように、Ｓカッター１５で長さ方向Ａに切断して（いわゆるＳカット…切断線Ｃ参照）、切断した第１内面用ウエブ１１Ａと第２内面用ウエブ１１Ｂとを幅方向Ｗに一定の間隔Ｗ６で拡幅するとともに、各ウエブ１１Ａ，１１Ｂの凸部１２ｂが対向するように、位相合わせ機１３によって長さ方向Ａにずらせる。なお、第１実施例と同様に、位相合わせを省略することも可能である。
【０１０３】
そして、拡幅された状態の横幅Ｗ７に設定されて、長さ方向Ａに連続送りされる不織布製の外面用ウエブ１０と第１内面用ウエブ１１Ａおよび第２内面用ウエブ１１Ｂとの間に、フロント部Ｐ側とバック部Ｑ側のボディフィット用弾性部材４を長さ方向Ａに伸長状態で挟み込んで接着して、外面用ウエブ１０で繋がった状態で、フロント部Ｐ側の第１弾性積層体１２Ａとバック部Ｑ側の第２弾性積層体１２Ｂとを製造する。なお、外面用ウエブ１０と第２内面用ウエブ１１Ｂとの間にレッグ周り弾性部材５Ｂを挟み込んで接着しても良い。
【０１０４】
一方、使い捨て着用物品１Ｃを横流れ状態で組み立てる工程（図１の工程１１〜１６参照）において、第１弾性積層体１２Ａと第２弾性積層体１２Ｂとの内面用ウエブ１１の凸部１２ｂの収縮力を小さくした部位１２ｃに跨るとともに、繋がった外面用ウエブ１０にも吸収体３を接着する。
【０１０５】
ついで、工程１２と工程１３との間に設けたトリムカッター２２で外面用ウエブ１０をくり抜きカットして脚穴部Ｓを形成する。
【０１０６】
本例では、トリムカッター２２で外面用ウエブ１０のみをくり抜きカットしているが、内面用ウエブ１１もカットしても良く、あるいは外面用ウエブ１０と内面用ウエブ１１とともに吸収体３の両縁部もカットしても良い。
【０１０７】
第３実施例の使い捨て着用物品１Ｃの製造方法によれば、凹部１２ａと凸部１２ｂとが交互に現れるように内面用ウエブ１１を長さ方向Ａに切断して、切断した第１内面用ウエブ１１Ａと第２内面用ウエブ１１Ｂを拡幅するとともに、拡幅された状態の横幅Ｗ７に設定した外面用ウエブ１０と、第１内面用ウエブ１１Ａおよび第２内面用ウエブ１１Ｂの間に、ボディフィット用弾性部材４を挟み込んで接着して、外面用ウエブ１０で繋がった第１弾性積層体１２Ａと第２弾性積層体１２Ｂを製造した後に、第１内面用ウエブ１１Ａと第２内面用ウエブ１１Ｂの凸部１２ｂに跨って吸収体３を接着したものである。
【０１０８】
従って、外面用ウエブ１０は切断および拡幅されずに拡布状で長さ方向に張力を与えられた状態で搬送されるため、内面用ウエブ１１との間に挟み込まれるボディフィット用弾性部材４の収縮に対し耐性を有するので、第１内面用ウエブ１１Ａと第２内面用ウエブ１１Ｂの凸部１２ｂに跨って吸収体を取付ける際に、シワの発生に起因する不具合を回避することができる。
【０１０９】
また、吸収体３を切断・拡幅した第１内面用ウエブ１１Ａと第２内面用ウエブ１１Ｂとに跨って接着することより、製造工程でウエブ１０，１１にトリムロスが発生しにくいので、使い捨て着用物品１Ｃの製造コストを下げることができる。
【０１１０】
また、本発明の方法は、上述のようなシワ及び／又は折れがさらに発生し易くなるような場合、例えば、凸部１２ｂにレッグ周り弾性部材５Ｂを挟み込んでいる場合に、特に有効である。
【０１１１】
さらにまた、第１実施例におけるようなカバーシート２が不要になるので、コスト安になる。
【０１１２】
また、繋がった外面用ウエブ１０で吸収体３の中間部分をカバーできるから、見映えが良くなる。
【実施例４】
【０１１３】
図２０〜図２４は、第４実施例の使い捨て着用物品１Ｄとその製造方法である。
【０１１４】
第４実施例の使い捨て着用物品１Ｄは、第２実施例の使い捨て着用物品１Ｂと比較して、内面用ウエブをＳカットしない点が相違する。
【０１１５】
第４実施例の使い捨て着用物品１Ｄの製造方法を第２実施例の使い捨て着用物品１Ｂの製造方法と相違する点について説明する。
【０１１６】
図２０〜図２２に示すように、フロント部Ｐ側の第１弾性積層体１２Ａとバック部Ｑ側の第２弾性積層体１２Ｂを横流れ状態で製造する工程（図１の工程１〜５参照）において、長さ方向Ａに連続送りされる外面用ウエブ１０と内面用ウエブ１１との間に、フロント部Ｐ側とバック部Ｑ側のボディフィット用弾性部材４とレッグ周り弾性部材５Ａ，５Ｂを長さ方向Ａに伸長状態で挟み込んで接着して弾性積層体１２を製造する。
【０１１７】
そして、この弾性積層体１２をスリッター１６で長さ方向Ａに切断して（切断線Ｄ参照）、切断した第１弾性積層体１２Ａと第２弾性積層体１２Ｂとを幅方向Ｗに一定の間隔Ｗ６で拡幅する。
【０１１８】
一方、使い捨て着用物品１Ｃを横流れ状態で組み立てる工程（図１の工程１１〜１６参照）において、第１弾性積層体１２Ａと第２弾性積層体１２Ｂとの内面用ウエブ１１の収縮力を小さくした部位１２ｃに跨って吸収体３を接着する。
【０１１９】
ついで、工程１２と工程１３との間に設けたトリムカッター２２で第１弾性積層体１２Ａと第２弾性積層体１２Ｂをカットして脚穴部Ｓを形成する。なお、吸収体３の両縁部もカットしても良い。
【０１２０】
第４実施例の使い捨て着用物品１Ｄの製造方法によれば、拡幅させた第１弾性積層体１２Ａと第２弾性積層体１２Ｂに跨って吸収体３を接着した後に、脚穴部Ｓをカットするから、前述のようなシワの発生による不具合が生じることなく吸収体３を設置することができる。
【０１２１】
なお、図２３に示すように、フロント部Ｐ側のレッグ周り弾性部材５Ａとバック部Ｑ側のレッグ周り弾性部材５Ｂとに交差するレッグ周り弾性部材５Ｃを吸収体３に添設しても良い。また、図２４に示すように、バック部Ｑ側のレッグ周り弾性部材５Ｂを直線状に添設しないで、バック部Ｑの後縁部に沿った湾曲状に添設しても良い。
【実施例５】
【０１２２】
図２５〜図２７は、第５実施例の使い捨て着用物品１Ｅとその製造方法である。
【０１２３】
第５実施例の使い捨て着用物品１Ｅは、第２実施例の使い捨て着用物品１Ｂと比較して、内面用ウエブをＳカットしない点が相違する。
【０１２４】
第５実施例の使い捨て着用物品１Ｅの製造方法を第２実施例の使い捨て着用物品１Ｂの製造方法と相違する点について説明する。
【０１２５】
長さ方向Ａに連続送りされる不織布製の内面用ウエブ１１をスリッター１６で長さ方向Ａに切断して（切断線Ｄ参照）、切断した第１内面用ウエブ１１Ａと第２内面用ウエブ１１Ｂとを幅方向Ｗに一定の間隔Ｗ６で拡幅する。
【０１２６】
そして、拡幅された状態の横幅Ｗ７に設定されて、長さ方向Ａに連続送りされる不織布製の外面用ウエブ１０と第１内面用ウエブ１１Ａおよび第２内面用ウエブ１１Ｂとの間に、フロント部Ｐ側とバック部Ｑ側のボディフィット用弾性部材４とレッグ周り弾性部材５Ａ，５Ｂを長さ方向Ａに伸長状態で挟み込んで接着して、外面用ウエブ１０で繋がった状態で、フロント部Ｐ側の第１弾性積層体１２Ａとバック部Ｑ側の第２弾性積層体１２Ｂとを製造する。
【０１２７】
一方、使い捨て着用物品１Ｅを横流れ状態で組み立てる工程（図１の工程１１〜１６参照）において、第１弾性積層体１２Ａと第２弾性積層体１２Ｂとの内面用ウエブ１１の収縮力を小さくした部位１２ｃに跨るとともに、繋がった外面用ウエブ１０にも吸収体３を接着する。
【０１２８】
ついで、工程１２と工程１３との間に設けたトリムカッター２２で第１弾性積層体１２Ａと第２弾性積層体１２Ｂをくり抜きカットして脚穴部Ｓを形成する。本例では、トリムカッター２２で吸収体３の両縁部３ｂもカットしている。
【０１２９】
第５実施例の使い捨て着用物品１Ｅの製造方法によれば、外面用ウエブ１０で繋がった第１弾性積層体１２Ａと第２弾性積層体１２Ｂに跨って吸収体３を接着した後に、脚穴部Ｓをカットするから、前述のようなシワの発生による不具合が生じることなく吸収体３を設置することができる。
【図面の簡単な説明】
【０１３０】
【図１】第１実施例の使い捨て着用物品の製造工程のシステム図であり、（ａ）は全体図、（ｂ）は要部拡大図である。
【図２】工程１〜５の製造状況の平面図である。
【図３】工程６〜１０の製造状況の平面図である。
【図４】工程１１〜１６の製造状況の平面図である。
【図５】使い捨て着用物品の分解斜視図である。
【図６】（ａ）〜（ｆ）は、工程１〜５の製造状況の要部断面図である。
【図７】（ａ）〜（ｆ）は、工程６〜１０の製造状況の要部断面図である。
【図８】（ａ）〜（ｄ）は、工程１１〜１６の製造状況の要部断面図である。
【図９】第１実施例の使い捨て着用物品であり、（ａ）は展開状態の平面図、（ｂ）は略画的側面断面図、（ｃ）は略画的底面断面図である。
【図１０】変形例１の使い捨て着用物品であり、（ａ）は展開状態の平面図、（ｂ）は側面断面図である。
【図１１】変形例２の使い捨て着用物品であり、（ａ）は展開状態の平面図、（ｂ）は略画的側面断面図である。
【図１２】第１実施例の使い捨て着用物品の組立て状態の正面図である。
【図１３】弾性積層体の弾性部材の添設状態と切断線を示す平面図である。
【図１４】（ａ）は、変形例１の弾性積層体の弾性部材の添設状態と切断線を示す平面図、（ｂ）は、変形例２の弾性積層体の弾性部材の添設状態と切断線を示す平面図である。
【図１５】第２実施例の使い捨て着用物品の製造工程のシステム図である。
【図１６】主要な工程の製造状況の平面図である。
【図１７】第２実施例の使い捨て着用物品であり、（ａ）は展開状態の平面図、（ｂ）は略画的側面断面図である。
【図１８】第３実施例の使い捨て着用物品の主要な工程の製造状況の平面図である。
【図１９】第３実施例の使い捨て着用物品であり、（ａ）は展開状態の平面図、（ｂ）は略画的側面断面図である。
【図２０】第４実施例の使い捨て着用物品の製造工程のシステム図である。
【図２１】主要な工程の製造状況の平面図である。
【図２２】第４実施例の使い捨て着用物品であり、（ａ）は展開状態の平面図、（ｂ）は略画的側面断面図である。
【図２３】変形例１の使い捨て着用物品であり、（ａ）は展開状態の平面図、（ｂ）は略画的側面断面図、（ｃ）は略画的正面断面図である。
【図２４】変形例２の使い捨て着用物品の展開状態の平面図である。
【図２５】第５実施例の使い捨て着用物品の製造工程のシステム図である。
【図２６】主要な工程の製造状況の平面図である。
【図２７】第５実施例の使い捨て着用物品であり、（ａ）は展開状態の平面図、（ｂ）は略画的側面断面図、（ｃ）は略画的底面断面図である。
【図２８】従来の使い捨て着用物品の主要な工程の製造状況の平面図である
【図１】
0004643449.tif 000002
【図２】
0004643449.tif 000003
【図３】
0004643449.tif 000004
【図４】
0004643449.tif 000005
【図５】
0004643449.tif 000006
【図６】
0004643449.tif 000007
【図７】
0004643449.tif 000008
【図８】
0004643449.tif 000009
【図９】
0004643449.tif 000010
【図１０】
0004643449.tif 000011
【図１１】
0004643449.tif 000012
【図１２】
0004643449.tif 000013
【図１３】
0004643449.tif 000014
【図１４】
0004643449.tif 000015
【図１５】
0004643449.tif 000016
【図１６】
0004643449.tif 000017
【図１７】
0004643449.tif 000018
【図１８】
0004643449.tif 000019
【図１９】
0004643449.tif 000020
【図２０】
0004643449.tif 000021
【図２１】
0004643449.tif 000022
【図２２】
0004643449.tif 000023
【図２３】
0004643449.tif 000024
【図２４】
0004643449.tif 000025
【図２５】
0004643449.tif 000026
【図２６】
0004643449.tif 000027
【図２７】
0004643449.tif 000028
【図２８】
0004643449.tif 000029